(57)【要約】【課題】略正方形状の変調素子を用いることなしに、横長画像と縦長画像を同じ面積で投映すること。【解決手段】プロジェクタ１００は、画像信号に基づいて光源１１，１２，１４からの光を変調する変調素子５と、投映像の倍率を変化させる変倍手段１５，１８，１９と、変調素子５における画素領域の長手方向が画像の長手方向と一致するか否かを判定する判定手段３と、判定手段３で不一致が判定された場合に、一致が判定された場合より倍率を高めるように変倍手段１５，１８，１９を制御する制御手段３と、を備える。【選択図】図１
2013228621.tif 000002
【特許請求の範囲】
【請求項１】
画像信号に基づいて光源からの光を変調する変調素子と、
投映像の倍率を変化させる変倍手段と、
前記変調素子における画素領域の長手方向が前記画像の長手方向と一致するか否かを判定する判定手段と、
前記判定手段で不一致が判定された場合に、一致が判定された場合より倍率を高めるように前記変倍手段を制御する制御手段と、
を備えることを特徴とするプロジェクタ。
【請求項２】
請求項１に記載のプロジェクタにおいて、
前記制御手段は、前記判定手段で前記不一致が判定された場合の前記画像の投映面積と、前記判定手段で前記一致が判定された場合の前記画像の投映面積とを略等しくするように前記変倍手段による倍率を制御することを特徴とするプロジェクタ。
【請求項３】
請求項２に記載のプロジェクタにおいて、
前記変倍手段は、前記投映像の倍率を光学的に変化させることを特徴とするプロジェクタ。
【請求項４】
請求項３に記載のプロジェクタにおいて、
前記変倍手段は、投映光学系から射出された前記変調光をスクリーンへ向けて反射する反射部材を含み、前記投映光学系および前記反射部材間の距離を長く変化させることによって変化前より倍率を高めることを特徴とするプロジェクタ。
【請求項５】
請求項３に記載のプロジェクタにおいて、
前記変倍手段は、前記変調光の光路上と該光路外との間を移動する光学部材を含み、前記光学部材を移動させることによって移動前より倍率を高めることを特徴とするプロジェクタ。
【請求項６】
請求項３に記載のプロジェクタにおいて、
前記変倍手段は、スクリーンまでの投映距離を変化させるようにプロジェクタを移動させる移動機構を含み、前記移動機構によりプロジェクタを移動することによって移動前より倍率を高めることを特徴とするプロジェクタ。
【請求項７】
請求項１〜６のいずれか一項に記載のプロジェクタにおいて、
前記変調素子は、液晶素子または微小ミラー素子によって構成されることを特徴とするプロジェクタ。
【請求項８】
請求項１〜７のいずれか一項に記載のプロジェクタにおいて、
前記変調素子は、ＬＥＤ、ＬＤ、またはハロゲン光源からの光を変調することを特徴とするプロジェクタ。
【発明の詳細な説明】
【技術分野】
【０００１】
本発明は、プロジェクタに関する。
【背景技術】
【０００２】
プロジェクタで投映する画像が横長か縦長かを判定し、必要な場合に９０度回転させた像を投映する技術が知られている（特許文献１参照）。プロジェクタは、投映像を生成するための液晶パネルを略正方形状に構成し、横長画像の場合は生成する投映像の上下に余白を設け、縦長画像の場合は生成する投映像の左右（または右もしくは左）に余白を設けるように制御される。
【先行技術文献】
【特許文献】
【０００３】
【特許文献１】特開２００７−７８８０８号公報
【発明の概要】
【発明が解決しようとする課題】
【０００４】
従来技術では、横長画像および縦長画像をカバーする略正方形状の液晶パネル（変調素子）を用いるので、長方形の変調素子に比べて大きな変調素子が必要になるという問題があった。
【課題を解決するための手段】
【０００５】
本発明によるプロジェクタは、画像信号に基づいて光源からの光を変調する変調素子と、投映像の倍率を変化させる変倍手段と、変調素子における画素領域の長手方向が画像の長手方向と一致するか否かを判定する判定手段と、判定手段で不一致が判定された場合に、一致が判定された場合より倍率を高めるように変倍手段を制御する制御手段と、を備えることを特徴とする。
【発明の効果】
【０００６】
本発明によるプロジェクタによれば、冗長構成を備えた略正方形状の変調素子を用いることなしに、横長画像と縦長画像を同じ面積で投映できる。
【図面の簡単な説明】
【０００７】
【図１】本発明の第一の実施形態によるプロジェクタを説明する断面図である。
【図２】横長画像によって構成される投映像を説明する図である。
【図３】縦長画像によって構成される投映像を説明する図である。
【図４】縦長画像によって構成される投映像を説明する図である。
【図５】第二の実施形態によるプロジェクタの縦長画像によって構成される投映像を説明する図である。
【図６】縦長画像によって構成される投映像を説明する図である。
【図７】第三の実施形態によるプロジェクタの縦長画像によって構成される投映像を説明する図である。
【図８】縦長画像によって構成される投映像を説明する図である。
【図９】第四の実施形態によるプロジェクタを説明する断面図である。
【図１０】縦長画像によって構成される投映像を説明する図である。
【図１１】縦長画像によって構成される投映像を説明する図である。
【発明を実施するための形態】
【０００８】
以下、図面を参照して本発明を実施するための形態について説明する。
＜第一の実施形態＞
図１は、本発明の第一の実施形態によるプロジェクタ１００を説明する断面図である。図１において、筐体１内にプロジェクタ１００を構成する各部材が収容されている。
【０００９】
プロジェクタ１００の要部を説明すると、光源は、Ｂ色ＬＥＤ１４と、Ｒ色ＬＥＤ１２と、Ｇ色ＬＥＤ１１とで構成される。Ｂ色ＬＥＤ１４が発する青色光は、集光レンズ２４で集光される。Ｒ色ＬＥＤ１２が発する赤色光は、集光レンズ２２で集光される。Ｇ色ＬＥＤ１１が発する緑色光は、集光レンズ２１で集光される。
【００１０】
Ｒ線反射ミラー１３は、青色光を透過するとともに、赤色光を反射する。Ｇ線反射ミラー９は、赤色および青色光を透過するとともに、緑色光を反射する。以上の構成により、３色の光が同じ光路上へ導かれる。図１においては、光束の中心線を光軸とし、該光軸を示す直線によって光路を表すものとする。各光源からの光は、それぞれ光軸に沿って進行する単一光束を形成するように構成される。
【００１１】
なお、３色の光源は、１チップタイプのＬＥＤによって構成してもよいし、ＬＥＤの代わりにＬＤ（半導体レーザ）によって構成してもよい。また、ハロゲンランプとカラーフィルタを組み合わせて構成してもよい。
【００１２】
上記３色の光は、全反射ミラー８で折り曲げられ、コンデンサレンズ７を介してＰＢＳ（偏光ビームスプリッタ）６へ入射される。入射光束は、偏光分離部６ａを透過するＰ偏光と反射するＳ偏光とに分離される。偏光分離部６ａを反射したＳ偏光は右方へ折り曲げられ、反射型液晶素子（ＬＣＯＳ）によって構成される光学素子５を照明する。一方、偏光分離部６ａを透過したＰ偏光は、不要光として廃棄される。
【００１３】
光学素子５は、投影ソースに基づいて照明光を変調する。本実施形態の光学素子５は、画素が形成されている領域の形状が横長に構成されており、そのアスペクト比(ｂ／ａ)は１より大である。なお、本説明では、アスペクト比＝(投映像の横辺の長さ)／(投映像の縦辺の長さ)とする。
【００１４】
光学素子５で反射された変調光は、Ｐ偏光となってＰＢＳ６へ再度入射される。再入射された変調光は、偏光分離部６ａを透過して左方へ射出される。倍率部１５およびフォーカス部１６は、投映光学系を構成する。投映光学系は、ＰＢＳ６から射出された変調光による投映像をスクリーンへ投映する。
【００１５】
倍率部１５およびフォーカス部１６は、それぞれ駆動司令部１９によって独立して制御される。倍率部１５はズームレンズを含み、投映倍率を変化させる。フォーカス部１６はフォーカシングレンズを含み、投映像のフォーカスを調節する。投映倍率の指示は、制御部３から駆動司令部１９を介して倍率駆動部１８へ送られる。そして、倍率駆動部１８が倍率部１５を駆動する。フォーカス調節指示は、制御部３から駆動司令部１９を介してフォーカス駆動部１７へ送られる。そして、フォーカス駆動部１７がフォーカス部１６を駆動する。
【００１６】
投映ソースは、不図示の外部機器から外部信号入力部２を介して入力される画像信号である。制御部３は画像処理部４へ指示を送り、入力された画像信号に基づいて解像度変換処理などの信号処理を行わせる。画像処理部４は、信号処理後の画像信号を用いて光学素子５を駆動する。上記照明光に対する変調は、このように駆動された光学素子５によって行われる。なお、外部信号入力部２を介して入力される画像信号に代えて、不図示のメモリカードに記録されている画像信号に基づいて光学素子５を駆動制御してもよい。
【００１７】
本実施形態は、上述したプロジェクタによる投映像のアスペクト比の切り替えに特徴を有するので、以降の説明はこの点を中心に行う。
【００１８】
＜横長画像の投映＞
図２は、投映ソースが横長画像によって構成される場合の投映像Ｐを説明する図である。一般に、横長画像は撮像面を横長にして撮像された画像のことをいう。制御部３は、例えばEXIF情報に含まれる画像方向を示すデータに基づいて横長画像か縦長画像かを判別する。上述したように、光学素子５の画素領域形状は横長構成であるので、投映する画像が横長画像である場合に、投映画像の長手方向と光学素子５における長手方向とが一致する。
【００１９】
図２において、テーブル２００の上に載置されたプロジェクタ１００が、スクリーンＳへ向けて投映を行う。横長画像を投映する制御部３は、光学素子５によって横長画像を生成させる指示を画像処理部４へ送る。これにより、アスペクト比(ｂ／ａ)が１より大の投映像Ｐが投映される。
【００２０】
＜縦長画像の投映＞
図３および図４は、投映ソースが縦長画像によって構成される場合の投映像ＰｂおよびＰｃを説明する図である。一般に、縦長画像は撮像面を縦長にして撮像された画像のことをいう。上述したように、光学素子５の画素領域形状は横長構成であるので、投映する画像が縦長画像である場合には、投映画像の長手方向と光学素子５における長手方向とが一致しない。図３において、テーブル２００の上に載置されたプロジェクタ１００が、スクリーンＳへ向けて投映を行う。
【００２１】
縦長画像を投映する制御部３は、光学素子５によって縦長画像を生成させる指示を画像処理部４へ送る。具体的には、光学素子５における画素領域（アスペクト比(ｂ／ａ)）内に、アスペクト比(ｃ／ａ)の縦長画像とグレー画像（余白）とを生成させる。ｃの値は、ｃ＝ａ２／ｂの関係をもたせる。余白は、縦長画像の左右に設ける。これにより、図３に例示するようにアスペクト比(ｃ／ａ＝ａ／ｂ)が１より小の投映像Ｐｂと、その両側に余白Ｇが投映されることとなる。
【００２２】
しかしながら、投映像Ｐｂは、投映像Ｐ（図２）に比べて面積比で(ａ２／ｂ２)と小さい。そこで、本実施形態の制御部３は、倍率部１５による投映倍率を縦横それぞれ(ａ／ｃ＝ｂ／ａ)倍に高く制御するとともに、余白Ｇに相当する部分に「黒」を投映させる。これにより、図４に例示するようにアスペクト比(ａ／ｂ)が１より小であって、横長画像を投映する場合の投映像Ｐと面積が等しい投映像Ｐｃが投映されることとなる。なお、わかりやすく説明するために図３を例示したが、実際に縦長画像を投映する場合は、図４による投映を行う。
【００２３】
以上説明した第一の実施形態によれば、以下の作用効果が得られる。
（１）プロジェクタ１００は、画像信号に基づいてＢ色ＬＥＤ１４、Ｒ色ＬＥＤ１２、Ｇ色ＬＥＤ１１からの光を変調する光学素子５と、投映像の倍率を変化させる倍率部１５（１８、１９）と、光学素子５における画素領域の長手方向が画像の長手方向と一致するか否かを判定する制御部３と、制御部３で不一致が判定された場合に、一致が判定された場合より倍率を高めるように倍率部１５（１８、１９）を制御する制御部３と、を備えるようにしたので、光学素子５が略正方形状でなくても、横長画像と縦長画像を同じ面積で投映できる。
【００２４】
（２）上記（１）のプロジェクタ１００において、制御部３は、不一致を判定した場合の画像の投映面積Ｐｃと、一致を判定した場合の画像の投映面積Ｐとを略等しくするように倍率部１５（１８、１９）を制御するので、横長画像と縦長画像を同じ面積で、適切に投映できる。
【００２５】
（３）上記（２）のプロジェクタ１００において、倍率部１５（１８、１９）は、投映像の倍率を光学的に変化させるので、同じ面積で投映できる。
【００２６】
（変形例１）
上述した説明では、光学素子５として反射型液晶表示素子（ＬＣＯＳ）を用いる例を説明したが、透過型液晶表示素子を用いて構成してもよい。また、ＤＭＤ（Digital Micromirror Device）を用いる構成にしてもよい。
【００２７】
＜第二の実施形態＞
第二の実施形態によるプロジェクタ１００Ｂは、第一の実施形態によるプロジェクタ１００に比べて倍率部１５が省略される代わりに、プロジェクタ１００ＢとスクリーンＳとの間の距離を調節する投映距離調節機構を備える。図５に例示するように、投映距離調節機構は、テーブル２００の上に載置されたレール部１１１と、レール部１１１上を移動するように移動機構を備えた距離調節部１１０とで構成される。プロジェクタ１００Ｂは、距離調節部１１０の上に固定される。距離調節部１１０がレール部１１１上を移動することにより、プロジェクタ１００ＢおよびスクリーンＳ間の投映距離を調節する。通常、距離調節部１１０の位置は、投映距離を最短にする位置（すなわちレール部１１１のスクリーンＳ側の端）である。
【００２８】
上記プロジェクタ１００Ｂで横長画像を投映する場合は、第一の実施形態によるプロジェクタ１００で投映像Ｐ（図２）を投映する場合と同様であるので、詳細な説明は省略する。
【００２９】
＜縦長画像の投映＞
図５および図６は、投映ソースが縦長画像によって構成される場合の投映像ＰｂおよびＰｃを説明する図である。図５において、プロジェクタ１００ＢがスクリーンＳへ向けて投映を行う。縦長画像を投映する制御部３は、上述した図３の場合と同様に、光学素子５によって縦長画像を生成させる指示を画像処理部４へ送る。これにより、アスペクト比(ｃ／ａ＝ａ／ｂ)が１より小の投映像Ｐｂと、その両側に余白Ｇが投映される。
【００３０】
しかしながら、投映像Ｐｂは、投映像Ｐ（図２）に比べて面積比で(ａ２／ｂ２)と小さい。そこで、本実施形態の制御部３は距離調節部１１０へ指示を送り、レール部１１１上を右方へ移動させて、投映距離を長く変更する。変更後の投映距離は、変更前に比べて投映倍率を縦横それぞれ(ａ／ｃ＝ｂ／ａ)倍に高める距離である。制御部３はさらに、縦長画像の両側の余白Ｇに相当する部分に「黒」を投映させる。これにより、図６に例示するようにアスペクト比(ａ／ｂ)が１より小であって、横長画像を投映する場合の投映像Ｐ（図２）と面積が等しい投映像Ｐｃが投映されることとなる。
【００３１】
一方、横長画像を投映する場合の制御部３は、距離調節部１１０へ指示を送り、レール部１１１上を左方へ移動させて変更前の投映距離に戻す。なお、わかりやすく説明するために図５を例示したが、実際に縦長画像を投映する場合は、図６による投映を行う。
【００３２】
距離調節部１１０を右方へ移動させると、レール部１１１によって投映光束の下部がけられやすくなるので、あらかじめレール部１１１から十分な高さを確保しておく。あるいは、距離調節部１１０に図示しない高さ調節機構を備えるように構成し、けられが生じないように、レール部１１１からの高さを調節可能に構成してもよい。
【００３３】
以上説明した第二の実施形態によれば、以下の作用効果が得られる。
（１）プロジェクタ１００Ｂは、画像信号に基づいてＢ色ＬＥＤ１４、Ｒ色ＬＥＤ１２、Ｇ色ＬＥＤ１１からの光を変調する光学素子５と、投映像の倍率を変化させる距離調節部１１０およびレール部１１１と、光学素子５における画素領域の長手方向が画像の長手方向と一致するか否かを判定する制御部３と、制御部３で不一致が判定された場合に、一致が判定された場合より倍率を高めるように距離調節部１１０およびレール部１１１を制御する制御部３と、を備えるようにしたので、光学素子５が略正方形状でなくても、横長画像と縦長画像を同じ面積で投映できる。
【００３４】
（２）上記（１）のプロジェクタ１００Ｂにおいて、距離調節部１１０およびレール部１１１は、スクリーンＳまでの投映距離を変化させるようにプロジェクタ１００Ｂを移動させる移動機構を含み、この移動機構によりプロジェクタ１００Ｂを移動することによって移動前より倍率を高めるようにしたので、同じ面積で投映できる。
【００３５】
（変形例２）
第二の実施形態では、レール部１１１上で距離調節部１１０を移動させる例を説明した。この代わりにプロジェクタ１００Ｂの筐体に駆動車輪を設け、この車輪によってプロジェクタ１００Ｂがテーブル２００の上を自走するように構成してもよい。変形例２のプロジェクタ１００Ｂは、縦長画像を投映する場合に、プロジェクタ１００ＢをスクリーンＳから離れる向きに走行させて、投映距離を長く変更する。変更後の投映距離は、変更前に比べて投映倍率を縦横それぞれ(ａ／ｃ＝ｂ／ａ)倍にする距離である。横長画像を投映する場合には、プロジェクタ１００ＢをスクリーンＳに近づける向きに走行させて、変更前の投映距離に戻す。なお、縦長画像の両側の余白Ｇに相当する部分に「黒」を投映させる点は、上述した実施形態と同様である。
【００３６】
（変形例３）
図５、図６で例示したプロジェクタ１００Ｂ、距離調節部１１０およびレール部１１１を、１つの筐体の中へ実装するようにしてもよい。変形例３によれば、可動部を筐体内に収めることで、プロジェクタを扱いやすくすることができる。
【００３７】
＜第三の実施形態＞
第三の実施形態によるプロジェクタ１００Ｃは、第一の実施形態によるプロジェクタ１００に比べて倍率部１５が省略され、さらに投映光束が反射ミラー１２０によって折り曲げられて投映される。図７に例示するように、反射ミラー１２０は、プロジェクタ１００Ｃの筐体の外へ向かって設けられた反射ミラー支持部１２１によって支持される。
【００３８】
反射ミラー支持部１２１は伸縮自在に構成されており、図８に例示するように、プロジェクタ１００Ｃと反射ミラー１２０との間の距離が調節可能である。すなわち、プロジェクタ１００Ｃは、プロジェクタ１００ＣおよびスクリーンＳ間の距離を調節する投映距離調節機構を備える。通常、反射ミラー１２０の位置は、投映距離を最短にする位置（図７）である。
【００３９】
上記プロジェクタ１００Ｃで横長画像を投映する場合は、第一の実施形態によるプロジェクタ１００で投映像Ｐ（図２）を投映する場合と同様であるので、詳細な説明は省略する。
【００４０】
＜縦長画像の投映＞
図７および図８は、投映ソースが縦長画像によって構成される場合の投映像ＰｂおよびＰｃを説明する図である。図７において、テーブル２００の上に載置されたプロジェクタ１００Ｃが、スクリーンＳへ向けて投映を行う。縦長画像を投映する制御部３は、上述した図３の場合と同様に、光学素子５によって縦長画像を生成させる指示を画像処理部４へ送る。これにより、アスペクト比(ｃ／ａ＝ａ／ｂ)が１より小の投映像Ｐｂと、その両側に余白Ｇが投映される。
【００４１】
しかしながら、投映像Ｐｂは、投映像Ｐ（図２）に比べて面積比で(ａ２／ｂ２)と小さい。そこで、本実施形態の制御部３は、反射ミラー支持部１２１を伸長させて、投映距離を長く変更する。変更後の投映距離は、変更前に比べて投映倍率を縦横それぞれ(ａ／ｃ＝ｂ／ａ)倍に高める距離である。横長画像を投映する場合には、反射ミラー支持部１２１を短縮させて、変更前の投映距離（すなわち投映倍率）に戻す。なお、縦長画像の両側の余白Ｇに相当する部分に「黒」を投映させる点は、上述した実施形態と同様である。これにより、図８に例示するようにアスペクト比(ａ／ｂ)が１より小であって、横長画像を投映する場合の投映像Ｐ（図２）と面積が等しい投映像Ｐｃが投映されることとなる。なお、わかりやすく説明するために図７を例示したが、実際に縦長画像を投映する場合は、図８による投映を行う。
【００４２】
以上説明した第三の実施形態によれば、以下の作用効果が得られる。
（１）プロジェクタ１００Ｃは、画像信号に基づいてＢ色ＬＥＤ１４、Ｒ色ＬＥＤ１２、Ｇ色ＬＥＤ１１からの光を変調する光学素子５と、投映像の倍率を変化させる反射ミラー１２０および反射ミラー支持部１２１と、光学素子５における画素領域の長手方向が画像の長手方向と一致するか否かを判定する制御部３と、制御部３で不一致が判定された場合に、一致が判定された場合より倍率を高めるように反射ミラー１２０および反射ミラー支持部１２１を制御する制御部３と、を備えるようにしたので、光学素子５が略正方形状でなくても、横長画像と縦長画像を同じ面積で投映できる。
【００４３】
（２）上記（１）のプロジェクタ１００Ｃにおいて、反射ミラー１２０および反射ミラー支持部１２１は、投映光学系１６から射出された変調光をスクリーンＳへ向けて反射する反射部材１２０を含み、投映光学系１６および反射部材１２０間の距離を長く変化させることによって変化前より倍率を高めるようにしたので、同じ面積で投映できる。
【００４４】
（変形例４）
第三の実施形態では、反射ミラー支持部１２１の伸縮によって投映倍率を変化させる場合に、投映倍率の変化に伴って投映像Ｐｃの上端および両側端の位置が変化するものの、投映像Ｐｃの下端位置は変わらない。この代わりに、反射ミラー支持部１２１の伸縮に合わせて反射ミラー１２０の傾きを変化させ、アオリ調節を行うように構成してもよい。変形例４では、アオリ調節することによって投映倍率の変化にかかわらず投映像Ｐｃのセンター位置が維持され、投映倍率の変化に伴って投映像Ｐｃの各辺の位置がそれぞれ変化するようになる。
【００４５】
＜第四の実施形態＞
第四の実施形態によるプロジェクタ１００Ｄは、第一の実施形態によるプロジェクタ１００に比べて倍率駆動部１８が省略され、可動式のアタッチメントレンズ５０が追加される。図９は、本発明の第四の実施形態によるプロジェクタ１００Ｄを説明する断面図である。図９において、第一の実施形態によるプロジェクタ１００（図１）と同様の構成については同一符号を記して説明を省略する。
【００４６】
アタッチメントレンズ５０は、倍率部１５およびフォーカス部１６間の光路上において挿抜可能に構成される。アタッチメントレンズ駆動機構５１は、アタッチメントレンズ駆動部５２によって駆動され、アタッチメントレンズ５０を光路上の位置（実線）と光路外の退避位置（破線）５３との間で移動させる。アタッチメントレンズ駆動部５２に対する駆動指示は、制御部３から指示を受けた駆動司令部１９Ｄが行う。
【００４７】
アタッチメントレンズ５０が光路外５３へ待避すると、アタッチメントレンズ５０が光路上に位置する場合に比べて倍率が(ｂ／ａ)になるように構成されている。なお、第四の実施形態では倍率駆動部１８が省略されたため、倍率部１５は固定倍率となり、倍率部１５による自動調節は行えない。
【００４８】
上記プロジェクタ１００Ｄで横長画像を投映する場合は、第一の実施形態によるプロジェクタ１００で投映像Ｐ（図２）を投映する場合と同様であるので、詳細な説明は省略する。
【００４９】
＜縦長画像の投映＞
図１０および図１１は、投映ソースが縦長画像によって構成される場合の投映像ＰｂおよびＰｃを説明する図である。図１０において、テーブル２００の上に載置されたプロジェクタ１００Ｄが、スクリーンＳへ向けて投映を行う。縦長画像を投映する制御部３は、上述した図３の場合と同様に、光学素子５によって縦長画像を生成させる指示を画像処理部４へ送る。これにより、アスペクト比(ｃ／ａ＝ａ／ｂ)が１より小の投映像Ｐｂと、その両側に余白Ｇが投映される。
【００５０】
しかしながら、投映像Ｐｂは、投映像Ｐ（図２）に比べて面積比で(ａ２／ｂ２)と小さい。そこで、本実施形態の制御部３は駆動司令部１９Ｄへ指示を送り、アタッチメントレンズ５０を光路外５３へ退避させて、投映倍率を高く変更する。変更後の投映倍率は、縦横それぞれ(ａ／ｃ＝ｂ／ａ)倍である。横長画像を投映する場合には、アタッチメントレンズ５０を光路上へ戻して、変更前の投映倍率に戻す。なお、縦長画像の両側の余白Ｇに相当する部分に「黒」を投映させる点は、上述した実施形態と同様である。
【００５１】
これにより、図１１に例示するようにアスペクト比(ａ／ｂ)が１より小であって、横長画像を投映する場合の投映像Ｐ（図２）と面積が等しい投映像Ｐｃが投映されることとなる。なお、わかりやすく説明するために図１０を例示したが、実際に縦長画像を投映する場合は、図１１による投映を行う。
【００５２】
以上説明した第四の実施形態によれば、以下の作用効果が得られる。
（１）プロジェクタ１００Ｄは、画像信号に基づいてＢ色ＬＥＤ１４、Ｒ色ＬＥＤ１２、Ｇ色ＬＥＤ１１からの光を変調する光学素子５と、投映像の倍率を変化させるアタッチメントレンズ５０、アタッチメントレンズ駆動機構５１およびアタッチメントレンズ駆動部５２と、光学素子５における画素領域の長手方向が画像の長手方向と一致するか否かを判定する制御部３と、制御部３で不一致が判定された場合に、一致が判定された場合より倍率を高めるようにアタッチメントレンズ５０、アタッチメントレンズ駆動機構５１およびアタッチメントレンズ駆動部５２を制御する制御部３と、を備えるようにしたので、光学素子５が略正方形状でなくても、横長画像と縦長画像を同じ面積で投映できる。
【００５３】
（２）上記（１）のプロジェクタ１００Ｄにおいて、アタッチメントレンズ５０、アタッチメントレンズ駆動機構５１およびアタッチメントレンズ駆動部５２は、変調光の光路上と該光路外５３との間を移動するアタッチメントレンズ５０を含み、このアタッチメントレンズ５０を移動させることによって移動前より倍率を高めるようにしたので、同じ面積で投映できる。
【００５４】
（変形例５）
以上の説明では、光学素子５の画素が形成されている領域の形状が横長に構成されている例を説明したが、光学素子５の画素が形成されている領域の形状を縦長に構成してもよい。この場合は、横長画像の投映を行う場合において投映倍率を高めるとともに、横長画像の上下の余白に相当する部分に「黒」を投映させる。
【００５５】
以上の説明はあくまで一例であり、上記の実施形態の構成に何ら限定されるものではない。
【符号の説明】
【００５６】
１…筐体
３…制御部
５…光学素子
６…ＰＢＳ
１１…Ｇ色ＬＥＤ
１２…Ｒ色ＬＥＤ
１４…Ｂ色ＬＥＤ
１５…倍率部
１６…フォーカス部
１８…倍率駆動部
１９…駆動司令部
５０…アタッチメントレンズ
５１…アタッチメントレンズ駆動機構
５２…アタッチメントレンズ駆動部
１００、１００Ｂ、１００Ｃ、１００Ｄ…プロジェクタ
１１０…距離調節部
１１１…レール部
１２０…反射ミラー
１２１…反射ミラー支持部
２００…テーブル
Ｇ…余白
Ｐ、Ｐｂ、Ｐｃ…投映像
Ｓ…スクリーン
【図１】
2013228621.tif 000003
【図２】
2013228621.tif 000004
【図３】
2013228621.tif 000005
【図４】
2013228621.tif 000006
【図５】
2013228621.tif 000007
【図６】
2013228621.tif 000008
【図７】
2013228621.tif 000009
【図８】
2013228621.tif 000010
【図９】
2013228621.tif 000011
【図１０】
2013228621.tif 000012
【図１１】
2013228621.tif 000013